(57)【要約】【課題】夜間におけるＥＴＣカードの車載装置からの抜き忘れを防止する。【解決手段】ＥＴＣカード１に蓄光部を設け、車載装置１１にこの蓄光部を蓄光させるための光照射部２１を設ける。ＥＴＣカード１が車載装置１１内に収納されている間は、ＥＴＣカード１の蓄光部に十分に蓄光させることができるので、車載装置１１の電源を落とした場合でも蓄光部４を発光し、利用者に車載装置１１内にＥＴＣカード１が入れたままであることを知らせることができる。【選択図】  図１
2004246561.tif 000002
【特許請求の範囲】
【請求項１】
自動料金収受のための情報を記憶する記憶媒体であって、前記記憶媒体自身の存在を示すための蓄光手段を備えたことを特徴とする自動料金収受用記憶媒体。
【請求項２】
自動料金収受のために路側装置との間で無線通信を行う車載装置であって、請求項１に記載の自動料金収受用記憶媒体の蓄光手段に蓄光させるための光照射手段を備えたことを特徴とする車載装置。
【請求項３】
前記記憶媒体を車載装置内に入れた状態で前記蓄光手段の発光が外部から見えるように漏光部を設けたことを特徴とする請求項２記載の車載装置。
【発明の詳細な説明】
【０００１】
【発明の属する技術分野】
本発明は、高速道路などの有料道路の料金収受を路側装置と車載装置との間の無線通信により完了させる自動料金収受（ＥＴＣ：Ｅｌｅｃｔｒｏｎｉｃ  Ｔｏｌｌ  Ｃｏｌｌｅｃｔｉｏｎ）システムにおける自動料金収受用記憶媒体および車載装置に関する。
【０００２】
【従来の技術】
従来、高速道路などの有料道路での料金収受を無線通信により完了させる自動料金収受システムでは、料金の決済を車載装置に挿着されたＩＣカード等のＥＴＣカードを用いて行っている。このＥＴＣカードはクレジットカード機能を有するため、車両などに置き忘れてしまった場合には、盗難されて悪用される恐れがあった。このため、ＥＴＣカードの抜き忘れ防止機能を備えた自動料金収受車載器が開発されている（例えば、特許文献１参照）。
【０００３】
一方、誕生日やクリスマスなどで部屋を暗くした場合でも、ケーキ皿のデザインが見えるように、デザインを夜光塗料で表現したケーキ皿が知られている（例えば、特許文献２参照）。
【０００４】
【特許文献１】
特開２００１−１４５００号公報
【特許文献２】
特開平１１−１７５０１６号公報
【０００５】
【発明が解決しようとする課題】
しかしながら、従来の抜き忘れ防止機能を備えた車載装置では、ＥＴＣカードを装置内に入れたまま電源を落とした場合にカード残存警告を行うことはできるが、数秒後に警告が終了するとそれ以上は警告を行わないために、夜間の場合は特にそのまま忘れてしまう可能性を有していた。
【０００６】
本発明は、このような従来の技術における問題を解決するものであり、夜間におけるＥＴＣカードの抜き忘れを防止することのできる自動料金収受用記憶媒体および車載装置を提供することを目的とする。
【０００７】
【課題を解決するための手段】
上記目的を達成するするため、本発明の自動料金収受用記憶媒体は、前記記憶媒体自身の存在を示すための蓄光手段を備えたことを特徴とする。この構成により、記憶媒体を車載装置に入れたままにしても、蓄光機能により数十分間の間発光し続けて、記憶媒体の存在を知らせることができので、夜間における抜き忘れ防止を図ることができる。また蓄光機能を利用しているため、万が一カードを抜き忘れたとしても蓄光能力が落ちると自然に発光を停止するため、カードの存在を消すことができ、盗難に対する被害を抑えることができる。
【０００８】
また、本発明の車載装置は、自動料金収受のために路側装置との間で無線通信を行う車載装置であって、上記した自動料金収受用記憶媒体の蓄光手段に蓄光させるための光照射手段を備えたことを特徴とする。この構成により、車載装置の稼動中は記憶媒体に蓄光し続けるので、記憶媒体の蓄光手段を十分に蓄光させることができ、車載装置の電源を落とした後でも、蓄光手段を発光させることができる。
【０００９】
また、本発明の車載装置は、前記記憶媒体を車載装置内に入れた状態で前記蓄光手段の発光が外部から見えるように漏光部を設けたことを特徴とする。この構成により、夜間において記憶媒体を車載装置に入れたままにしても漏光部から光が漏れるので、記憶媒体の存在を知ることができ、夜間における抜き忘れを防止することができる。
【００１０】
【発明の実施の形態】
以下、本発明の実施の形態について図面を参照して詳細に説明する。図１（ａ）は本実施の形態における自動料金収受用記憶媒体であるＥＴＣカードの正面図、図１（ｂ）はその背面図である。なお、本実施の形態において、ＥＴＣカードは、ＩＣカードの他にメモリカード、ＳＤカード等を用いてもよい。図１において、ＥＴＣカード１の表面には、「ＥＴＣカード」の文字が印刷されるとともに、ＩＣチップ２が搭載されている。ＩＣチップ２は、回路基板上にＣＰＵとメモリと入出力インターフェイスとを備えたものであり、メモリには料金データや個人データが格納されている。ＩＣチップ２の表面には、接続端子が露出している。ＥＴＣカード１の裏面には、磁気ストライプ３が設けられている。この磁気ストライプ３は、このＥＴＣカード１を料金所の通常ゲートに設置されたＥＴＣカード処理機で処理する場合のものである。蓄光部４は、磁気ストライプ３に影響しないように、裏面の半分ほどの面積に夜光塗料を塗布したものである。
【００１１】
図２は本実施の形態における車載装置の構成を示している。図２において、車載装置１１は、個人情報、課金結果情報等が読み書きされる上記したＥＴＣカード１を使用する。アンテナ１２を介して行われる路側装置との通信は、５．８ＧＨｚ帯の高周波を使用して無線部１３により行われる。制御部１４は、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭域通信）処理装置およびＣＰＵやメモリを含み、無線通信の制御、ＥＴＣカードの制御を初めとする情報処理全般を行う。ＨＭＩ（ヒューマン・マシン・インターフェイス）部１５は、入力手段であるキーパッド１６や車載装置１１の状態を出力するスピーカ１７およびＬＥＤ１８に対する入出力を行う。カードリードライト制御部１９は、ＥＴＣカード１に対する読み書きを制御する。カードソケット２０は、ＥＴＣカード１を装置内に収納案内するもので、上面に装置内に収納されたＥＴＣカード１のＩＣチップ２に接続可能な接続端子２０ａを備え、下面にはＥＴＣカード１の蓄光部４に対向する位置に窓２０ｂを備えている。また、カードソケット２０のＥＴＣカード挿入口は、中央部が両側部よりも凹んで漏光部２０ｃになっており、カードソケット２０の奥部には、カードソケット２０内に収納されたＥＴＣカード１を固定するとともに、そのＥＴＣカード１を再び押すとＥＴＣカード１がカードソケット２０から飛び出す機構を備えたロック部２０ｄが設けられている。光照射部２１は陰極線管で構成され、カードソケット２０の窓２０ｂに対向する位置に配置されている。電源部２２は車載装置１１内の回路全体に電力を供給する。
【００１２】
次に、この車載装置１１の動作について説明する。まず、利用者は、車両に設置された車載装置１１に自分のユーザＩＤが記録されているＥＴＣカード１をカードソケット２０内に挿入する。ＥＴＣカード１がカードソケット部２０に挿入されると、ＥＴＣカード１のＩＣチップ２が接続端子２０ａに接触してＥＴＣカード１の電源がオンされ、ＥＴＣカード１のメモリに記録されたＥＴＣアプリケーションプログラムが選択され、ＨＭＩ部１５により動作確認のために音声がスピーカ１７から出力され、ＬＥＤ１８が点灯される。車両が路側装置の通信可能エリア外を走行している場合、車載装置１１は待機状態になっている。
【００１３】
路側装置からの無線信号がアンテナ１２から入力されると、無線部１３によってその入力電界強度が検知され、それがある一定レベルを超えたところで、制御部１４は、車両が路側装置の通信可能エリアに入ったことを認識し、車載装置１１は、通信状態へと移行し、半二重通信による課金処理へと移る。無線部１３によって５．８ＧＨｚの高周波信号から１Ｍｂｐｓのベースバンド信号へと変換される通信データは、プロトコル処理を制御部１４で処理し、受信データの復号化および送信データの暗号化を行う。この通信手順によって、車載装置１１に記録されている車両情報や、ＥＴＣカード１から読み出されるカード所持者の個人情報が路側装置に対して送信され、路側装置からは課金情報が送信されてくる。最終的な課金結果は、スピーカ１７やＬＥＤ１８によって利用者に伝えられ、同時に、カードリードライト制御部１９により、接続端子２０ａを通じてＥＴＣカード１のＩＣチップ２内のメモリに書き込まれる。車両が路側装置の通信エリアを通過してエリア外に出ると、アンテナ１２からの入力電界強度の低下を無線部１３が検知し、これが制御部１４に伝えられ、車載装置１１は再び待機状態へと移行する。
【００１４】
車載装置１１が稼動中は、カードソケット２０内に収納されたＥＴＣカード１の蓄光部４は、光照射部２１によってカードソケット２０の窓部２０ｂから照射された光により蓄光される。したがって、蓄光部４は十分に光を蓄えることができ、車載装置１１の電源を落として光照射部２１もオフになっても、カードソケット２０内のＥＴＣカード１は、蓄光部４からの発光が漏光部２０ｃから外部に漏れるため、外部から車載装置１１内にＥＴＣカード１が入ったままであることを認識することができる。
【００１５】
このように、本実施の形態によれば、ＥＴＣカード１に蓄光部４を設け、車載装置１１にこの蓄光部４を蓄光させるための光照射部２１を設けたので、ＥＴＣカード１が車載装置１１内に収納されている間は、ＥＴＣカード１の蓄光部４に十分に蓄光させることができる。したがって、車載装置１１の電源を落とした場合でも蓄光部４を発光させることができ、利用者に車載装置１１内にＥＴＣカード１が入れたままであることを知らせることができ、ＥＴＣカード１の抜き忘れを防止することができる。また、蓄光部４に蓄光された光は数十分経過すると蓄光能力が低下して発光を停止するので、万が一カードを挿入したままで降車した場合でも、数十分後にはカードの発光が停止するため、ＥＴＣカード１の盗難を防止することができる。
【００１６】
【発明の効果】
以上の説明から明らかなように、本発明の自動料金収受用記憶媒体は、記憶媒体自身の存在を示すための蓄光手段を備えているので、記憶媒体を車載装置に入れたままにしても、蓄光機能により数十分間の間発光し続けて、記憶媒体の存在を知らせることができ、夜間における抜き忘れ防止を図ることができる。また蓄光機能を利用しているため、万が一カードを抜き忘れたとしても蓄光能力が落ちると自然に発光を停止するため、カードの存在を消すことができ、盗難に対する被害を抑えることができる。
【図面の簡単な説明】
【図１】（ａ）本発明の実施の形態におけるＥＴＣカードの正面図
（ｂ）本発明の実施の形態におけるＥＴＣカードの背面図
【図２】本発明の実施の形態における車載装置の構成を示す概略ブロック図
【符号の説明】
１  ＥＴＣカード
２  ＩＣチップ
３  磁気ストライプ
４  磁気表示部
１１  車載装置
１２  アンテナ
１３  無線部
１４  制御部
１５  ＨＭＩ部
１６  キーパッド
１７  スピーカ
１８  ＬＥＤ
１９  カードリードライト制御部
２０  カードソケット
２０ａ  接続端子
２０ｂ  窓部
２０ｃ  漏光部
２０ｄ  ロック部
２１  光照射部
２２  電源部
【図１】
2004246561.tif 000003
【図２】
2004246561.tif 000004